(57)【要約】【課題】現在、コンピュータの手書入力装置としてはタブレット等との組合せによるものは数多く存在するが、単独で紙などに記入した文字や図などをコンピュータと送受信してそのまま文字や図へ変換出来るペン型手書入力装置は見当たらない。本発明はペン型入力装置として、従来の筆記文具が持つ筆記機能の他に筆記内容をコンピュータへイメージ座標データとして取込み、文字及び図への変換処理を行う「手書入力解析器とそれを使用したペン入力装置」である。【解決手段】筆記文具並みの操作性と機能を持つペン入力部分と、記入した手書入力の内容をイメージ座標データに変換する手書入力解析部分に分けて解決。【選択図】図1
2005063247.tif 000002
【特許請求の範囲】
【請求項１】
手書入力解析器は次の機能要素から構成される。接触部が紙などの被筆記物に接触すると接触感知器が感知してON状態になる。また、接触部が被筆記物から離れるとOFF状態になる。ON/OFF情報はクロックパルスに同期させてクロックパルス・タイマー情報と共にメモリーへ記録する。光線放出装置は最初に接触部が被筆記物に接触した時からクロックパルスと同期して光線を放出する。光線がその延長線上にある被筆記物等に反射し屈曲した地点を光線反射感知装置に映し出し、それを装置内のマトリックス上に反射位置として透過する。更にその反射位置と直前に算出されたマトリクス座標値からの移動距離を反映して新しいマトリクス座標値を算出する。その情報をクロックパルス・タイマー情報と共にメモリーへ記録し、仮想空間イメージ座標解析装置へ処理信号を送る。仮想空間イメージ座標解析装置はメモリーよりマトリクス座標値、ON／OFF情報及びクロックパルス・タイマー情報を取込みマトリクス座標値から仮想空間イメージ座標値を算出し、ON／OFF情報の属性を付けてメモリーへ記録した後、記憶装置へ書込する。また、送受信装置へ処理信号を送る。送受信装置にはリアル送受信モードとバッチ送受信モードがあり、リアル送受信モードの場合は仮想空間イメージ座標解析装置と同期を取りながらコンピュータとメモリー情報の送受信を行う。この場合はコンピュータとリアルにデータを送受信し、コンピュータの表示装置にそのイメージを表示する。また、バッチ送受信モードの場合はコンピュータからの要求により記憶装置からコンピュータへファイルを伝送する。
【請求項２】
ペン入力装置は従来の筆記文具が持つ書く機能と、書いた内容を文字及び図のイメージ・データとして、色及び線種情報を付けてコンピュータへ入力できる機能を持つペン入力装置である。その機能は、殆どが単独ボタン又は2つのボタンの組合せで機能する（ボタンの組合せは変わる場合もあり）。例えば、赤・緑・青を意味するRGBボタン（3つのボタン）は色の種類を設定する。RGBボタンはそれぞれ単独で押すとその該当色になるが、調整ボタンを押しながらそれぞれのボタンを押して行くと段階的に色が混合される。線ボタンを押すと段階的に線の太さを切替えられる。また、調整ボタンを押しながら線ボタンを組合せて押すと段階的に線の種類が実線、点線、二重線などに切替わる。また、モードボタンとクリアボタンを組合せて押すとリアル送受信モードとバッチ送受信モードの切換ができ、モードボタンと線ボタンを組合せて押すと文字モードと図モードの切換を行う。表示ランプは設定されたイメージの色と線の太さ及び種類を表示するがこれは実際にペンで紙などに記入される色とは無関係でも良い。リアル送受信モードの時、表示ランプは点滅する。切換ボタンを押すと、新しくファイル名が自動付与されて新規ファイルに切替えられる。これは筆記用紙を途中で切替える場合を想定したもの。また、切換ボタンとクリアボタンを組合せすると、そこで記入されたデータを全てクリアできる。更に、リアル接続時の場合、データのクリア・復元機能があり、クリアボタンを押すと最新のオフ状態の移動座標データならびにオン状態の移動座標データが消去され、同時に表示装置上のイメージもクリアされる。また、調整ボタンとクリアボタンを組合せて同時に押すとクリアしたデータが復元できる。
【請求項３】
手書入力解析器の記憶装置に格納されたイメージ・データは格納日付・時刻単位にファイル名が自動付与される。また、保存されたファイルは保存記憶容量を超えた場合、日付・時刻の古い順番に自動消去されるが、消去したくないファイルの場合は保護ロックを掛ける事ができ、その場合は、そのファイルをスキップして次のファイルが消去される。また、一旦、保護ロックしたファイルはコンピュータからの処理オプションとして消去が出来る。
【請求項４】
コンピュータ側のソフトにより文字モードの仮想空間イメージ座標データはイメージの文字パターン識別処理によって文字変換を行い、それを画面表示すると共にパターン認識文字の修正処理も可能とするアプリケーションソフト1。また、テキスト変換機能だけでなく図モード部分のイメージをイメージ図として残す機能をも併せ持つアプリケーションソフト2。更に変換後の新しいファイルに対してペン入力装置からの原本をリンクした形で保存する事も出来るアプリケーションソフト3。
【発明の詳細な説明】
【技術分野】
【０００１】
本発明は、紙などの被筆記物に記入した文字や図の内容をイメージ・データとして記憶し、コンピュータと送受信して文字及び図への変換が出来る手書入力解析器とそれを使用したペン入力装置。
【背景技術】
【０００２】
現在、コンピュータの手書入力装置としてはタブレット等との組合せによるものは数多く存在するが、単独で紙などの被筆記物に記入した文字や図などをコンピュータと送受信してそのまま文字や図へ変換出来る入力装置は見当たらない。
【０００３】
既に実用化されているタブレット上での手書入力の文字変換率の精度は極めて高いものであるが、それ等と同一精度のものをペン単独で実現できるかと言う事と、ペン機能の付加価値を如何に高められるかが実用性の要。
【特許文献１】特開平06-202787
【特許文献２】特開平10-105321
【発明の開示】
【発明が解決しようとする課題】
【０００４】
筆記文具と同様の操作性を持って紙等に筆記でき、尚且、記入した内容を即座にイメージ・データとしてコンピュータへ取込めるペン型手書入力装置。
【課題を解決するための手段】
【０００５】
筆記文具並みの操作性と機能を持つペン入力部分と、記入した手書入力の内容をイメージ・データに変換する筆跡データ解析部分に分けて解決する。
【発明の効果】
【０００６】
場所・記入媒体に影響されない筆記具兼用ペン型手書入力装置として効果が期待できる。
【発明を実施するための最良の形態】
【０００７】
手書入力解析器とペン入力装置に分けた事で装置の独立性と融和性が高められる。また、手書入力解析器は他装置類との新たなベストマッチングも可能となる。
【実施例１】
【０００８】
図1は手書入力解析器の実施例1の機能関連図である。1は紙などの被筆記物。2は接触部ペン先で3の接触感知器と信号線で繋がっている。4はクロックパルス・タイマー、5は光線放出装置。6は光線反射感知装置であり、5で放出された光線を感知する。7の光学式センサー位置読取装置は新しいマトリクス座標値を算出し8のメモリーへ記録する。9の仮想空間イメージ座標解析は8のメモリーより情報を読込み仮想空間イメージ座標値を算出し10の記憶装置へ書込む。11の送受信装置は12のコンピュータとデータの送受信を行う。13は外部機器との情報通信用インターフェース。
【実施例２】
【０００９】
図2は手書文字等のイメージ処理を6の手書入力解析器を使用して行い、筆記文具の操作性をペン入力装置で実現するものである。3は電池、5は調整ボタン、7のRGBボタンで色の種類を設定、9は線ボタン、8はモードボタン、1はクリアボタンで2は表示ランプ。4は切換ボタン、1はクリアボタン、10は既存筆記物、11は被筆記物。12は仮想空間イメージ座標で実際に被筆記物への記入行為との論理的な関係を示すイメージ図。
【産業上の利用可能性】
【００１０】
本発明が実現されれば、キーボードを使用出来ないキーボード・アレルギーの人などにおいても速やかにコンピュータへの入力が出来る。また、場所や記入媒体を選ばない事から病院のカルテ作成や会議の議事録、各種メモ作成などに利用でき、速やかにデジタル記録としてコンピュータに取込む事が出来る。
【図面の簡単な説明】
【００１１】
【図１】手書入力解析器の機能関連図
【図２】ペン入力装置の構成図及び仮想空間イメージ座標と筆記用紙との関係図
【図３】仮想空間イメージ座標の中でペンのタッチ部分と非タッチ部分のイメージ
【図１】
2005063247.tif 000003
【図２】
2005063247.tif 000004
【図３】
2005063247.tif 000005